(57)【要約】【課題】失活したシートに防蟻効果を付与するシロアリ防除方法【解決手段】シロアリに対して殺虫効果を有する殺虫成分を一種類以上含有した粒径４５μｍ以下の粉体を防蟻効果のないシート上に散布するか、またはシロアリに対して殺虫効果を有する殺虫成分を一種類以上含有した粒径４６μｍから５ｍｍ以下の固体を、防蟻効果のないシートと基礎立ち上がり部の境部分に、１ｍ２当たり１ｇから１０００ｇ、好ましくは１０ｇから５００ｇを散布することにより、防蟻効果のないシートに充分に防蟻効果を発揮させることが可能となった。【特許請求の範囲】
【請求項１】
一種類以上の殺虫成分を含有した粒径４５μｍ以下の粉体をシート上に散布することを特徴とするシロアリ防除方法。
【請求項２】
一種類以上の殺虫成分を含有した粒径４６μｍから５ｍｍまでの固体をシートと基礎立ち上がり部の境部分に散布することを特徴とするシロアリ防除方法。
【請求項３】
請求項１及び２において散布量が１ｍ２当たり１ｇから１０００ｇであることを特徴とするシロアリ防除方法。
【発明の詳細な説明】
【０００１】
【産業上の利用分野】
本発明は、家屋の床下に敷く防蟻シートが防蟻効力を失活した後に、シロアリによる家屋被害を予防する方法に関する。
【０００２】
【従来の技術】
シロアリ類を防除するためには、シロアリ防除剤を建物の床下の土壌へ散布したり、シロアリが食害する木部へ直接処理する方法が一般的である。また、シロアリ防除剤の代わりに、有効成分をポリエチレンやエチレン酢酸ビニル共重合体などの材質でできたシートに含有させた防蟻シートを、土壌表面に設置する方法が普及している。
例えば、木造建築の基礎工事が完成した時に、防蟻シートを基礎基盤の全面に敷設し、このシートの周辺と布基礎との間を防蟻剤で封止するものとして、特許文献１がある。また、基礎を構築した後で、この基礎地盤に防蟻シートを敷き詰め、基礎の周囲にはシロアリ防除剤を含有する蟻返し板を周設したものとして特許文献２がある。
これら防蟻シートの場合には、その有効成分が失活した後の防蟻施工方法に関してはなんら記載または示唆されていない。失活した後の防蟻施工方法としては、乳剤、フロアブル剤、マイクロカプセル剤などの水希釈して散布する既存のシロアリ防除剤による土壌表面散布または土壌帯状散布を行う必要があるが、敷設した防蟻シートを取り外さなければならず、多くの労力を必要とする問題があった。
【０００３】
特許文献１：特開昭６３−７０７４３号
特許文献２：特開昭５９−９６３５１号
【０００４】
【発明が解決しようとする課題】
防蟻シートに含まれる防蟻剤が失効した後に、このシートをそのまま活用し、簡便かつ有効なシロアリ防除方法を提供しようとするものである。
【０００５】
【課題を解決しようとする手段】
本発明者は環境を汚染させず、かつ、シートをそのまま活用し防蟻性能を持たせる方法について鋭意検討した結果、殺虫成分を少なくとも一種類以上を含有する固体をシート上またはシートと基礎の立ち上がり部の境部分に散布する方法により、高い防除効果を示すことを見出した。すなわち、本発明は一種類以上の殺虫成分を含有した粒径４５μｍ以下の粉体をシート上に散布すること、または一種類以上の殺虫成分を含有した平均粒径５ｍｍ以下の固体をシートと基礎立ち上がり部の境部分に散布することを特徴とするシロアリ防除方法に関するものである。
【０００６】
本発明に用いる殺虫成分はシロアリに対し殺虫活性を有するものがあればよいが、実用上市販されているシロアリ防除用殺虫剤が好ましく、例えば、ペルメトリン、シフェノトリン、シペルメトリン、ビフェントリン、トラロメトリン、プラレトリン、エトフェンプロクス、シラフルオフェンなどのピレスロイド系殺虫剤、イミダクロプリド、アセタミプリド、クロチアニジンなどのネオニコチノド系殺虫剤、クロルフェナピルなどのピロール系殺虫剤、フィプロニルなどのフェニルピラゾール系殺虫剤、ホウ酸などの無機物などがあげられる。また、殺虫成分に、殺虫力を増強するために、例えば、ピペロニルブトキサイド、Ｎ−（２−エチルヘキシル）ビシクロ［２，２，１］ヘプタ−５−エン−２，３−ジカルボキシイミド等の殺虫剤の共力剤を混合して用いることもできる。
【０００７】
固体としては、紛体及び粒体がある。粒径が４５μｍ以下のもの、すなわち３００メッシュの篩で通過するものを紛体とし、粒径が４５μｍよりも大きく、すなわち３００メッシュの篩で通過せず、粒径５ｍｍ以下のものを粒体という。本発明に用いる紛体としては、粉末状の形状のものであれば特にその成分に限定されず、例えば炭酸カルシウム、シリカゲル、硫酸カルシウム、クレー、タルク、ケイソウ土、活性炭等が挙げられる。　粉体の粒子径は、特に限定されないが、４５μｍ以下が好ましい。
【０００８】
本発明に用いる粒体としては、　必要に応じて、固体担体、粘結剤、溶剤、界面活性剤、安定化剤、着色剤等を含有していてもよい。粒体の製剤化においては、通常用いられる造粒法によって造粒することによって得られる。該造粒法としては例えば、押出し造粒法、含浸造粒法、圧縮造粒法、攪拌造粒法、流動層造粒法、流動床造粒法、転動造粒法、被覆造粒法等を挙げることができる。無機粒体の粒子径や形状は、特に限定されないが、直径４６μｍ以上で直径５ｍｍの篩で通過できるものが望ましい。本発明の殺虫組成物に使用される、紛体、粒体とは、前記殺虫剤はそのまま、または適当な溶剤に溶解し、粉体基材または粒体基材と混合することによって、調整することができるが、予め乳剤、フロアブル剤、油剤、マイクロカプセル剤等のように一旦製剤化した後、それぞれの製剤の少量と粉体はたは粒体基材と充分混合撹拌混合して調整することもできる。
【０００９】
本発明に用いる紛体または粒体中の殺虫成分の含有量としては、０．０００１重量％から５．０重量％の範囲が好ましい。
【００１０】
粉体、粒体をシート上に散布する方法としては、既存の粉体、粒体散布機を利用する方法、手撒きによる方法や、粉体を溶剤や噴射剤と一緒にしてエアゾール製剤とし、または、粉体を液化炭酸ガスと一緒にして液化炭酸ガス製剤とし、シート上に散布する方法等を挙げることができる。散布量としては、１ｍ２当たり１ｇから１０００ｇであり、好ましくは１０ｇから５００ｇである。
【００１１】
次に製剤例及び実施例で本発明を更に詳しく説明するが、本発明が実施例のみに限定されるのもではない。
【００１２】
製剤例１
ペルメトリン０．２重量部をミリスチン酸イソプロピル９．８重量部に溶解し、炭酸カルシウム微粉末（平均粒子径１４．８μｍ）９０重量部に均一にエアーガンで吹き付け処理し、その後、攪拌機で２時間混合して、粉体を得た。
製剤例２
ペルメトリン０．２重量部と含水二酸化珪素０．８重量部とをジュースミキサーでよく混合した後、粉砕した。上記で得た粉砕物１．０重量部、ポリビニルアルコール３重量部、ベントナイト富士（豊順洋行製）２０重量部、ドデシルベンゼンスルホン酸ナトリウム２重量部及び炭酸カルシウム微粉末（平均粒子径１４．８μｍ）４５．２重量部をジュースミキサーでよく混合し、粉末混合物を得た。粉末混合物に、尿素７．５重量部及びグラニュー糖７．５重量部を溶解した水１３．８重量部を添加してよく練合した。得られた練合物を０．９ｍｍのスクリーン付き小型押し出し造粒機で造粒し、整粒した後に、６０℃で１５分間乾燥して、粒体を得た。
【００１３】
【実施例１】粉体のイエシロアリに対する効果
有効成分を含まないエチレン酢酸ビニル共重合体の材質でできたシート（０．５ｍｘ０．５ｍ）（以下、ブランクシートという）上に、製剤例１の粉体０．２５ｇ、２．５ｇ、２５ｇ、２５０ｇを、手動の粉体散布機（ミゼットダスター２、（株）共立製）で散布した。また、比較例１として、市販のペルメトリン１０重量％を含有するシロアリ防除用乳剤を５０倍に希釈し、その希釈液７５０ｍｌ（３Ｌ／ｍ２相当）をブランクシート上に小型のジョウロで散布した。比較例２として、薬剤をまったく散布しないブランクシートを準備した。次に直径５ｃｍ高さ４ｃｍのガラスリング３ヶをこれらのブランクシート上の適当なところに置き、イエシロアリ職蟻１０頭をその中へ放虫した。その後、２４時間後の死虫率を観察した。その試験結果を表１に示す。
【表１】イエシロアリ職蟻に対する殺虫効果
2004135591.tif 000002
上記の表より、シート（０．５ｍｘ０．５ｍ）上に、０．２５ｇ（１ｇ／ｍ２相当）では、効力の不足が認められたが、２．５ｇ（１０ｇ／ｍ２相当）以上では、優れた効果が認められた。また、比較例１では、効力のあるところとないところがあり、十分な効果は認められなかった。
【実施例２】
底辺の直径１０ｃｍ、上辺の直径１３ｃｍのプラスチックカップに土壌（石川ライト）２０ｇを入れ、水５ｇを加えて均一に攪拌した。そこへイエシロアリ職蟻５００頭を放虫し、次に、有効成分を含まない直径１０ｃｍのエチレン酢酸ビニル共重合体の材質でできたシートを置いた。次に、製剤例１の紛体または製剤例２の粒体それぞれ１００ｇをカップの周囲に均一になるように散布した。比較例３として、市販のペルメトリン１０重量％を含有するシロアリ防除用乳剤を５０倍に希釈し、その希釈液２４ｍｌ（３Ｌ／ｍ２相当）をカップ内のシート表面に均一に塗布した。その後、シートの中心部に２ｃｍ角の木片を設置し、室温下で放置した。木片までイエシロアリ職蟻が到達するかどうかを経時的に観察した。その試験結果を表２に示す。
【表２】各種粉体、粒体、ペルメトリン乳剤の防蟻効果
2004135591.tif 000003
表２より、製剤例１、２をシートの周辺に処理することにより、イエシロアリ職蟻の木片への侵入を食い止めることができたが、比較例３では侵入を食い止めることができなかった。
【００１４】
【発明の効果】一種類以上の殺虫成分を含有した粉体または粒体をシート上または基礎とシートの接合部分に散布する簡単な方法により、防蟻効果のないシートに充分な防蟻効果を発揮させることが可能となった。